(57)【特許請求の範囲】
【請求項１】
基本ユニットに１又は２以上の増設用ユニットを結合して構成され、
前記基本ユニットは、筐体の内部に、データを記録媒体に記録しまたは再生させる記録・再生手段と、記録媒体を収容する収容手段と、該収容手段と前記記録・再生手段との間で記録媒体を移送するための移送手段とを設けて構成され、該筐体には前記増設用ユニットに連通させるための連通部が設けられ、
前記増設用ユニットは、筐体の内部に、記録媒体を収容する収容手段と、前記増設用ユニットの前記収容手段と前記基本ユニットの前記記録・再生手段との間で移送手段が記録媒体を移送するための移送空間とを設けて構成され、該筐体には前記基本ユニットに連通させるための連通部が設けられ、
前記夫々の収容手段は、前記基本ユニットと前記増設用ユニットとの結合方向と略平行な回動軸を中心として回動する回動部材の外周部に、記録媒体を収容するための収容部を複数配置して構成され、該収容部は放射方向外側へ向かって開口し、該収容部の外側には該収容部の記録媒体が遠心力によって落下しないようにフェンスが設けられていることを特徴とする記録および／又は再生装置。
【請求項２】
前記増設用ユニットに、データを記録媒体に記録しまたは再生させる記録・再生手段を設けたことを特徴とする請求項１に記載の記録および／又は再生装置。
【発明の詳細な説明】
【０００１】
【発明の属する技術分野】
本発明は記録および／又は再生装置に関し、基本ユニットに増設用ユニットを任意の数だけ追加して取り付けることにより、カセットテープの収容数を自由に調整できるようにしたものである。
【０００２】
【従来の技術】
大きなデータを扱う所では、サーバのデータをバックアップすることが必要になる。バックアップは、一般的にコンパクト・ディスクに記録することで行われるが、容量が大きい場合には８ミリテープ等のカセットテープが用いられる。カセットテープはアクセスするのに時間がかかるため、通常に使うデータはコンパクト・ディスクに記録したり再生したりして用いられる一方、バックアップにカセットテープが用いられる。一本のカセットテープの容量は、略５０〜１００ＧＢである。
【０００３】
カセットテープにデータを記録したりあるいは再生するためのカセットライブラリと言われる記録および／又は再生装置は、カセットテープを収容する収容手段と、カセットテープを記録または再生するための記録・再生手段と、収容手段と記録・再生手段との間でカセットテープを移送する移送手段とが必要になる。
【０００４】
従来の記録および／又は再生装置は、カセットテープを決められた一定の数だけ収容できるカセット棚と、カセットテープを記録または再生するための１または複数のドライブと、カセット棚とドライブとの間でカセットテープを移送する搬送機とで構成されるのが一般的である。
【０００５】
【発明が解決しようとする課題】
ところが、従来の記録および／又は再生装置では、収容できるカセットテープの数が例えばＸ本と決まっているため、Ｘ本以上のカセットテープを収容できるものが欲しい場合には特別注文になるためにすぐに入手できないだけでなくコスト高になり、あるいは購入後にＸ本以上のカセットテープを収容する必要が生じた場合は、改造しなければならなかった。一方、Ｘ本ものカセットテープが必要ない場合であっても、Ｘ本収容できるものを購入しなければならなかった。つまり、汎用性のないものであった。
【０００６】
そこで本発明は、斯かる課題を解決した記録および／又は再生装置を提供することを目的とする。
【０００７】
【課題を解決するための手段】
かかる目的を達成するための請求項１にかかる発明の構成は、基本ユニットに１又は２以上の増設用ユニットを結合して構成され、前記基本ユニットは、筐体の内部に、データを記録媒体に記録しまたは再生させる記録・再生手段と、記録媒体を収容する収容手段と、該収容手段と前記記録・再生手段との間で記録媒体を移送するための移送手段とを設けて構成され、該筐体には前記増設用ユニットに連通させるための連通部が設けられ、前記増設用ユニットは、筐体の内部に、記録媒体を収容する収容手段と、前記増設用ユニットの前記収容手段と前記基本ユニットの前記記録・再生手段との間で移送手段が記録媒体を移送するための移送空間とを設けて構成され、該筐体には前記基本ユニットに連通させるための連通部が設けられ、前記夫々の収容手段は、前記基本ユニットと前記増設用ユニットとの結合方向と略平行な回動軸を中心として回動する回動部材の外周部に、記録媒体を収容するための収容部を複数配置して構成され、該収容部は放射方向外側へ向かって開口し、該収容部の外側には該収容部の記録媒体が遠心力によって落下しないようにフェンスが設けられていることを特徴とし、
請求項２にかかる発明の構成は、請求項１において、前記増設用ユニットに、データを記録媒体に記録しまたは再生させる記録・再生手段を設けたことを特徴とする。
【０００８】
【発明の実施の形態】
以下、本発明を図面に示す実施の形態に基づいて詳細に説明する。
【０００９】
(１)記録および／又は再生装置の全体構成
本発明による記録および／又は再生装置の外観斜視図を図１１に示す。これは、各種できる組み合わせのうちの一つを示したものである。記録および／又は再生装置１は、最下の基本ユニット２と、３つの増設用ユニット３と、最上の増設用ユニット４とで構成される。ここで、基本ユニットとはこの装置においては必ず必要な必須のユニットをいい、増設用ユニットとは必ずしも設けなくてもよく使用するカセットテープの数に応じて必要な分だけ設ければよいユニットをいう。
【００１０】
各ユニットどうしを結合する場合を、例えば図１１に示す基本ユニット２と増設用ユニット３とを結合する場合について説明する。図１２のように各ユニットは筐体５を有し、筐体５の内部に各種の部品を収容して構成したものである。筐体５どうしの結合は、夫々の筐体５の側面に４本のネジで結合された接続板６を取り外し、図１３に示すように隣り合う筐体５どうしを橋渡しするように配置した接続板６に再び４本のネジをねじ込むことで結合する。上記の結合を繰り返して５つの筐体５を結合すると、図１１の記録および／又は再生装置となる。
【００１１】
夫々の筐体５における背面側の上面および下面には、相互に対応する位置に貫通孔が形成されており、筐体５どうしを結合する前の状態では、夫々蓋７が取り付けられている。そして、結合された状態では、最下の筐体５の下面の蓋７と最上の筐体５の上面の蓋７のみが取り付けられる一方、その他の蓋７は取り外され、この部分で５つの筐体５の内部が連通している。この点については後述する。
【００１２】
記録および／又は再生装置の内部構造を説明するための手順を以下に示す。
0004134507.tif 000002
以下、上記の項目に沿って説明する。
【００１３】
(２)基本ユニット
まず、基本ユニットについて説明する。図１，図２に示すように、基本ユニット２は、筐体５の内部に、カセットテープ（記録媒体）にデータを記録しまたは再生させるためのドライブ（記録・再生手段）８と、カセットテープを収容するカセット棚（収容手段）９と、カセット棚９とドライブ８との間でカセットテープを移送するための搬送機（移送手段）１０とを収容したものである。
【００１４】
(ａ)筐体
筐体は５は、図１に示すように、一体に形成された底板５ａ，背面板５ｂ，側板５ｃと、前面を覆うフロントパネル５ｄと、側面の開口部を覆う補助板５ｅと、図１０に示す天井板５ｆとで構成される。
【００１５】
(ｂ)ドライブ
図１，図２，図４，図６に示すように、一対のドライブ８が、筐体５の底板５ａ上であって、左側における前後方向の中間部に配置されている。図１に矢印Ａで示す面が、基本ユニット２の前面であり、図２からわかるように夫々のドライブ８におけるカセットテープの挿入口は、ドライブ８の背面側に設けられている。
【００１６】
(ｃ)カセット棚
図１と、下方から見た図２と、図６とからわかるように、カセット棚９はドライブ８の上の段であって、筐体５の前面側に配置されている。図３に示すように、円形の支持部１１ａと載置部１１ｂとで構成されるテーブル(回動部材)１１が回転自在に設けられている。載置部１１ｂは、支持部１１ａの外側にリング状に形成され、支持部１１ａよりも低い位置を占める。図１に示すように載置部１１ｂの上にはカセットテープ６７を収容するためのケース（収容部）１２が上下２段に一体に結合され、一体となったものが円周方向に沿って本実施の形態では８個結合されている。これらのケース１２は、いずれも放射方向の外側へ向かって開口している。
【００１７】
このテーブル１１を駆動するための手段について説明する。下方から見た図２と、テーブル１１を除去した図４とに示すように、筐体５の底板５ａの上面には取付板１３を介して鉛直軸(回動軸)１４の下端が結合されており、鉛直軸１４には外形寸法の大きいセンターギヤ１５が回転自在に設けられている。そして、このセンターギヤ１５の上面に前記テーブル１１における支持部１１ａの下面が一体に結合されている。筐体５における底板５ａの上面にはモータ１６が取り付けられており、モータ１６の出力軸とセンターギヤ１５とが歯車１７等を介して連動連結されている。
【００１８】
所定の位置でテーブル１１の回転を止めるために、歯車１７と一体の回転板１８ａと、エンコーダ１８と、位置センサ１９とが設けられている。また、回転するテーブル１１上のケース１２内から、遠心力によってカセットテープが落下しないように、図１，図２に示すように、筐体５の底板５ａの上には、円を描くようにして一対のフェンス２１が取付金具２０を介して取り付けられている。このフェンス２１とケース１２内のカセットテープとの隙間は僅かな値に設定されている。図１からわかるように、筐体５の前面から人手によりケース１２の内部へカセットテープを挿脱し、カセット棚９の背面側から搬送機により挿脱して下方のドライブ８に挿脱するために、カセット棚９の前面側および背面側にはフェンス２１が存在しないように設定され、外ゲート２２，内ゲート２３を構成している。外ゲート２２と対応する筐体５の前面のフロントパネル５ｄには挿脱口２４が形成されている。挿脱口２４からは、上下に重ねられた２つのケース１２内のいずれのカセットテープをも取り出すことができる。挿脱口２４の横にはＬＣＤ表示部６２が設けられている。
【００１９】
(ｄ)搬送機
図１，図２，図６に示すように、搬送機１０はカセット棚９とドライブ８との間でカセットテープを移送するために設けられるので、これらの背面側の左に配置されている。搬送機１０の構造を以下に説明する。
【００２０】
(昇降台)
図５，図６に示すように、搬送機１０は、昇降台（移動台）２５と、昇降台２５を上下方向へ案内する一対のラックピラー（ガイド手段）２６とで構成される。図５に示すように、ラックピラー２６は、内側溝２６ａ，２６ｂとの間にラック部２６ｃを有し、ラック部２６ｃの一方側にはラック２６ｄおよび転がり面２６ｅを有し、反対側にはＶ溝２６ｆを有する。また、ラックピラー２６の両端には水平方向へ突出する結合部２６ｇが夫々形成されている。夫々のラックピラー２６は、底板５ａの貫通孔(連通部)６３(図７参照)を閉塞する蓋７の下方から結合部２６ｇへねじ込んだネジにより、蓋７の部分に立設されている。一方、ラックピラー２６の上部は天井板５ｆの貫通孔６３(図１０参照)を閉塞する蓋７の上方からねじ込んだネジにより蓋７に結合される。
【００２１】
昇降台２５をラックピラー２６に沿って昇降自在に案内するための構成を以下に説明する。転がり面２６ｅを転がる一対のガイドローラ２７が、昇降台２５の左右の前面側の上下に回転自在に取り付けられている。一方、Ｖ溝２６ｆの内部を転がることにより昇降しながら昇降台２５の左右方向での位置決めを行うガイドローラ２８が昇降台２５の左右の前面側の上下に回転自在に取り付けられている。このため、２組のガイドローラ２７，２８でラック部２６ｃを挟むことにより、左右方向での昇降台２５の位置決めがなされる。
【００２２】
次に、昇降台２５を駆動するための構造を説明する。図５に示すように、昇降台２５には回転自在に連結軸２９が設けられ、左右のラック２６ｄに噛み合うピニオン６８が連結軸２９の両端に一体に結合されている。昇降台２５の片側にはモータ３０が取り付けられており、モータ３０の出力軸に結合されたウォーム歯車３１と、連結軸２９に固着されたハスバ歯車３２とが噛み合っている。昇降台２５の位置を割り出してモータ３０の回転を止めるためのエンコーダ６５が昇降台２５に取り付けられ、エンコーダ６５の回転板６６が歯車６９を介して連結軸２９に連動連結されている。
【００２３】
(スライド台)
昇降台２５の上には、左右方向へ移動自在にスライド台３３が設けられている。即ち、スライド台３３の前面側には、ガイドを兼用する前記連結軸２９が、一対のスライド軸受３４を介して挿通される一方、スライド台３３の背面側に固定された一対のスライド受け３５には、昇降台２５上のガイドロッド３６が挿通され、スライド台３３が左右方向へスライド自在になっている。
【００２４】
次に、スライド台３３を駆動するための構造を説明する。昇降台２５の背面側にはラック３７が一体に取り付けられている。前記ガイドロッド３６は、このラック３７の下方に取り付けられている。スライド台３３にはモータ３８が取り付けられており、モータ３８の出力軸に結合された駆動歯車３９がラック３７に噛み合っている。４０は駆動歯車３９と一体の回転板、４１はエンコーダである。
【００２５】
(進退台)
スライド台３３の上には前記内ゲート２３あるいはドライブ８へ向かって進退自在に進退台４２が設けられている。即ち、スライド台３３の左右には前後方向へ配置された一対のガイドロッド４３の両端が固着され、進退台４２の左右の軸受部４２ａにガイドロッド４３が挿通されることで、進退台４２が前後方向へ進退自在になっている。
【００２６】
次に、進退台４２を駆動するための構造を説明する。スライド台３３の右側にはラック４４が一体に取り付けられている。進退台４２の右側にはモータ４５が取り付けられており、モータ４５の出力軸に結合された駆動歯車４６がラック４４に噛み合っている。４７は駆動歯車４６と一体の回転板、４８はエンコーダである。
【００２７】
(クランプ手段)
進退台４２の上にはカセットテープをクランプするためのクランプ手段４９が設けられている。クランプ手段４９の構成を以下に説明する。一対のピッカー５０，５１が進退台４２に立設した固定軸５２，５３を介して回動自在に支持されている。夫々のピッカー５０，５１はＬ字型に形成され、夫々の外端部の内側にはカセットテープの側面の凹部に嵌まり込む爪５０ａ，５１ａが形成されている。    爪５０ａ，５１ａの部分を開閉させる構成を説明する。進退台４２の上にモータ５４が取り付けられている。モータ５４の出力軸に結合されたウォーム５５がウォームホィール５６に噛み合っており、ウォームホィール５６の偏心した位置にはピン５７が立設されている。そして、一端にピン５７が回動自在に挿通された「く」の字形のレバー５８の他端にはピン５９が立設され、ピッカー５０，５１の内端部がピン５９に回動自在に支持されている。そして、ピッカー５０，５１の外端部を閉じる方向へ付勢するためにバネ６０が設けられている。また、スライド台３３上でピッカー５０，５１が進退して通過したことを検出する一対の通過センサ６４が、スライド台３３上のガイドロッド４３の近傍に固定されている。
【００２８】
(３)増設用ユニット
前記の基本ユニットだけではカセットテープを収容するケースが足りない場合はカセット棚の増設が必要になる。また、上下方向へ多くの増設用ユニットを増設すると、最上の増設用ユニットから最下の基本ユニットのドライブまでカセットテープを搬送するのに時間が多くかかる場合があり、上のほうにもドライブが欲しい場合がある。
【００２９】
このため、増設用ユニットとしては、カセット棚のみを筐体の内部に有するもの、ドライブのみを筐体の内部に有するもの、カセット棚とドライブとの双方を筐体の内部に有するもの、の３種類が考えられ、夫々の増設用ユニットには、前記基本ユニットに結合したときに、結合した筐体間で基本ユニットの搬送機を機能させるための移送空間が設けられる。
【００３０】
図１１に示す増設用ユニット３は、図７に示すように筐体５の中に、前記と同様にケース２段のカセット棚９とカセット棚９の下の図示しない一対のドライブ８とを有する。これらについては、基本ユニット２と同一である。そして、基本ユニット２における搬送機１０の昇降台２５が増設用ユニット３の内部でも昇降してカセットテープを搬送できるように、移送空間６１が設けられている。そして、昇降台２５を昇降させるための図示しない一対のラックピラー２６が増設用ユニット３に付属している。
【００３１】
次に、図１１に示す最上の増設用ユニット４について説明する。この増設用ユニット４は、図８に示すようにドライブを設けずに、その分だけカセット棚９のケース１２を増やして４段にしたものであり、図７と同様にカセットテープを搬送するための移送空間６１が設けられるとともに図示しない一対のラックピラー２６が付属している。ケース１２を４段にしたことから、挿脱口２４の高さもケース１２を４段重ねた高さと対応する大きさになっている。なお、増設用ユニット３，４については、ＬＣＤ表示部６２が省略されている。
【００３２】
(４)基本ユニットと増設用ユニットとの結合部
前述したように、夫々の筐体５における底板５ａおよび天井板５ｆには、相互に対応する位置に、図１０のような貫通孔６３が形成されており、前述したように図１１の夫々の筐体５は、貫通孔(連通部)６３の部分で相互に連通している。このため、夫々の筐体５における前記移送空間６１はつながった状態になっている。
【００３３】
基本ユニット２に増設用ユニット３，４を連結する場合は、この移送空間６１の部分に、増設用ユニット３，４と対応する数だけラックピラー２６が増設され、上方へ延長されている。即ち、基本ユニット２に増設用ユニット３，４を連結する直前は、図９に示すようにラックピラー２６の結合部２６ｇどうしが図示しないネジにより結合され、基本ユニット２よりも上方へラックピラー２６が突出した状態になる。増設用のラックピラー２６の長さ寸法は、筐体５の高さ寸法と略同じになっており、基本ユニット２用のラックピラー２６の長さ寸法は、筐体５の高さ寸法より少し短い。図９の状態から、図１１のように増設用ユニット３，４を順番に重ねて相互に結合し、最後に天井板５ｆに蓋７を結合したあとで、蓋７の上から結合部２６ｇにネジをねじ込めば、最上のラックピラー２６が、蓋７に結合される。これにより、基本ユニット２の昇降台２５は、図１１の最上の増設用ユニット４まで昇降できることになる。
【００３４】
(５)作用
次に、斯かる記録および／又は再生装置の作用を説明する。
【００３５】
(ａ)カセット棚へのカセットテープの収納および取り出し
カセットテープをカセット棚９へ収納したり取り出したりしたい場合には、挿入ボタンあるいは取り出しボタンを押す。すると、基本ユニット２又は増設用ユニット３，４のいずれかのカセット棚９のケース１２が選択され、例えば図１のあるケース１２が選択されたとすると、選択された選択ケース１２が、図１の挿脱口２４と対応する外ゲート２２の位置へくるまでテーブル１１が回転する。そこで、挿脱口２４よりケース１２の内部へカセットテープを挿入、あるいは取り出す。
【００３６】
テーブル１１の回転は、以下のようにして行われる。図４のモータ１６が回転すると、その回転力が歯車１７を介してセンターギヤ１５に伝わり、センターギヤ１５と一体のテーブル１１が回転する。テーブル１１が回転した後の停止の際の位置決めは、エンコーダ１８と位置センサ１９とによって行われる。
【００３７】
(ｂ)カセット棚からのカセットテープの取り出し
カセットテープを記録又は再生したい場合は、カセットテープの選択ボタンと記録ボタン又は再生ボタンを押す。すると、選択されたカセットテープがドライブ８まで搬送される。ドライブ８としては基本ユニット２と増設用ユニット３とに２つづつ設けけられており、選択されたカセットテープのケース１２に一番近いドライブ８が選択される。例えば、最下の基本ユニット３の上段のカセットテープが選択され、基本ユニット３の前面から見て左側のドライブ８が選択された場合は、以下のようになる。
【００３８】
カセットテープが選択されると、図６において、内ゲート２３と対応する位置まで、テーブル１１が回転して停止する。一方、それと同時に搬送機１０の昇降台２５が内ゲート２３へ向かって移動する。即ち、以下のようにして移動する。図５において、モータ３０が回転し、その回転力がウォーム歯車３１，ハスバ歯車３２，連結軸２９を介して一対のピニオン６８に伝わり、一対のピニオン６８がラック２６ｄを転がる。そして、エンコーダ６５により位置検出が行われると、モータ３０の回転が停止して、昇降台２５の上昇が停止する。その後、モータ３８が回転すると、駆動歯車３９がラック３７上を転がるので、スライド台３３がガイドロッド３６および連結軸２９に沿って移動する。そして、エンコーダ４１により位置検出が行われると、モータ３８の回転が停止して、スライド台３３の移動が停止する。その後、モータ４５が回転すると、駆動歯車４６がラック４４上を転がるので、進退台４２が一対のガイドロッド４３に沿って前進し、ピッカー５０，５１がケース１２の内部に挿入される。そして、一対の通過センサ６４の間をピッカー５０，５１が通過したことと、エンコーダ４８による位置検出が行われると、モータ４５の回転が停止して、進退台３３の移動が停止する。その後、モータ５４が回転すると、ウォーム５５によりウォームホィール５６が回転し、ウォームホィール５６上の偏心位置にあるピン５７が円を描くので、一端にピン５７が挿入された「く」の字形のレバー５８の一端が後退する。このとき、バネ６０の付勢力も作用してピッカー５０，５１が閉じ、爪５０ａ，５１ａの部分がケース１２の内部のカセットテープの側面の凹部に入り込み、カセットテープがピッカー５０，５１によりクランプされる。カセットテープがクランプされた状態で、前記と逆の動きにより、進退台４２が後退すると、カセットテープがケース１２から取り出される。
【００３９】
(ｃ)カセットテープのドライブへの搬送
この状態から、昇降台２５が前記とは反対に２段だけ降下して図６の状態になった後に、スライド台３３が右へ（前面から見て左へ）向かって移動する。これによりスライド台３３は目的のドライブ８と対向するので、進退台４２が前進し、クランプされているカセットテープ６７がドライブ８の内部に挿入される。その後、モータ５４が前記とは逆の方向へ回転すると、バネ６０の付勢力に抗して一対のピッカー５０，５１が開き、カセットテープ６７がピッカー５０，５１から離れてドライブ８の中に載置される。その後、進退台４２が後退し、ドライブ８へのカセットテープ６７の搬送が終了する。
【００４０】
(ｄ)ドライブからカセット棚へのカセットテープの返却
カセットテープの記録又は再生が終了すると、カセットテープはドライブ８から元のカセット棚９のケース１２に収納される。この場合の各部の動きはケース１２から出してドライブ８に挿入する場合の前記の動きと反対の動きなので、説明を省略する。
【００４１】
なお、収容手段における収容部は、本実施の形態では２段または４段としたが、３段又は５段以上でもよい．また、増設用ユニットとしては、記録・再生手段のみを設け、収容手段を有しないものでもよい。更に、各ユニットを横置きにし、横方向へ増設するようにしてもよい。また更に、挿脱口は全てのユニットに設けることなく、基本ユニットのみに設けるようにしてもよい。
【００４２】
【発明の効果】
以上説明したように、請求項１〜２にかかる記録および／又は再生装置によれば、基本ユニットに増設用ユニットを結合して記録および／又は再生装置を構成したので、記録媒体を収容する収容部の数の必要性に応じて、増設用ユニットを増減させることができる。従って、従来のようにもっと多くの収容部が必要であっても容易には増やせなかつたり、あるいは逆に、必要でないのに収容部が多くて余ってしまうという、不都合なことが生じない。つまり、臨機応変に対応することができる。
【図面の簡単な説明】
【図１】本発明による記録および／又は再生装置の実施の形態における基本ユニットの斜視図。
【図２】本発明による記録および／又は再生装置の実施の形態における基本ユニットを斜め下方から見た斜視図。
【図３】本発明による記録および／又は再生装置の実施の形態における基本ユニットに係り、カセット棚を構成するテーブルの部分を示す斜視図。
【図４】本発明による記録および／又は再生装置の実施の形態における基本ユニットに係り、カセット棚を構成するテーブルを除去して示す斜視図。
【図５】本発明による記録および／又は再生装置の実施の形態における基本ユニットに係り、搬送機を示す斜視図。
【図６】本発明による記録および／又は再生装置の実施の形態における基本ユニットに係り、カセット棚とドライブと搬送機との関係を示す斜視図。
【図７】本発明による記録および／又は再生装置の実施の形態に係り、増設用ユニットの斜視図。
【図８】本発明による記録および／又は再生装置の実施の形態に係り、他の増設用ユニットの斜視図。
【図９】本発明による記録および／又は再生装置の実施の形態に係り、基本ユニットにラックピラーを複数取り付けた状態を示す斜視図。
【図１０】本発明による記録および／又は再生装置の実施の形態に係り、基本ユニットにラックピラーを複数取り付けて天井板を取りつけた状態を示す斜視図。
【図１１】本発明による記録および／又は再生装置の実施の形態に係り、基本ユニットと４つの増設用ユニットとを結合して構成した斜視図。
【図１２】本発明による記録および／又は再生装置の実施の形態に係り、基本ユニットに増設用ユニットを結合する前の状態を示す斜視図。
【図１３】本発明による記録および／又は再生装置の実施の形態に係り、基本ユニットに増設用ユニットを結合した状態を示す斜視図。
【符号の説明】
２…基本ユニット
３，４…増設用ユニット
５…筐体
８…ドライブ（記録・再生手段）
９…カセット棚（収容手段）
１０…搬送機（移送手段）
１１…テーブル（回動部材）
１２…ケース（収容部）
１４…鉛直軸（回動軸）
２１…フェンス
６１…移送空間
６３…貫通孔（連通部）
６７…カセットテープ（記録媒体）
【図１】
0004134507.tif 000003
【図２】
0004134507.tif 000004
【図３】
0004134507.tif 000005
【図４】
0004134507.tif 000006
【図５】
0004134507.tif 000007
【図６】
0004134507.tif 000008
【図７】
0004134507.tif 000009
【図８】
0004134507.tif 000010
【図９】
0004134507.tif 000011
【図１０】
0004134507.tif 000012
【図１１】
0004134507.tif 000013
【図１２】
0004134507.tif 000014
【図１３】
0004134507.tif 000015